(57)【要約】【課題】動画ブログを利用できるシールプリント装置を提供する。【解決手段】新規ブログ利用会員のＩＤをブログサーバーに発行してもらう手段と、利用者が入力した会員ＩＤをブログサーバーに送付する手段と、付帯するビデオカメラとマイクロホンからの映像と音声の信号をビデオファイルに作成し記憶する手段と、新規ブログ利用者の会員ＩＤに対応する初期ブログを取り寄せるとともに、初期ブログの画面体裁を利用者に設定させてブログサーバーに送信させる手段と、ビデオファイルとコメント文と体裁の設定情報とを含む投稿記事をブログサーバーに送付する手段と、利用者が指定したブログをブログサーバーから取り寄せて表示する手段と、他の会員のブログに対するトラックバック記事を作成して当該記事と他の会員のブログの特定情報とをブログサーバーに送付する手段とを備えたシールプリント装置とした。【選択図】図５
2008070954.tif 000002
【特許請求の範囲】
【請求項１】
付帯するデジタルカメラで撮影した利用者の顔写真に装飾画像を付加して作成した顔写真画像データをシール用紙に印刷出力するシールプリント装置であって、
通信インタフェースと、タッチパネルとスピーカとを含むユーザインタフェースと、ビデオカメラと、マイクロホンと、外部記憶装置と、制御手段とを備え、
制御手段は、通信制御処理と、ユーザインタフェース制御処理と、会員ＩＤ入力処理と、ビデオファイル作成処理と、ブログ作成処理と、ブログ投稿処理と、ブログ閲覧処理と、トラックバック送信処理とを可能とし、
通信制御処理は、所定の情報通信ネットワークに接続されて多数の会員のそれぞれが開設したブログを公開するブログサーバーと通信インタフェースを介して通信し、
ユーザインタフェース制御処理は、タッチパネルに画面を表示させるとともに、特定の画面の表示中に所定のユーザ入力があると、所定の画面、あるいは音声をタッチパネルに表示、あるいはスピーカに出力させ、
会員ＩＤ入力処理は、会員ＩＤの入力欄を含むログイン画面を表示させるとともに、当該画面の表示中にユーザ入力による会員ＩＤ発行指示があった場合には、会員ＩＤの発行依頼をブログサーバーに送付して返送されてきた会員ＩＤを含む画面を表示出力させ、ログイン画面の表示中にユーザ入力により会員ＩＤが入力欄に記入された状態でＩＤの送信指示があった場合には、当該文字列を会員ＩＤとして適時にブログサーバーに送付し、
ビデオファイル作成処理は、所定のユーザ入力があると、ビデオカメラが出力する撮影映像信号とマイクロホンからの音声信号とを所定形式のビデオファイルに作成して外部記憶装置に記憶し、
ブログ作成処理は、会員ＩＤ入力処理により会員ＩＤの発行依頼をブログサーバーに送付した場合、ユーザ入力によるブログ投稿指示があると、前記会員ＩＤに対応する初期ブログを取り寄せて記憶するとともに、当該初期ブログの画面体裁を利用者に設定させるためのページ装飾画面を表示させ、ユーザ入力により体裁が設定されると当該体裁に関する体裁情報をブログサーバーに送信し、
ブログ投稿処理は、所定のユーザにビデオファイルを選択させるとともにコメント文を入力させるための投稿画面を表示するとともに、当該画面の表示中にユーザ入力により指定されたビデオの再生指示があると、記憶したビデオファイルから指定のビデオファイルを再生処理して表示させ、特定のビデオファイルに対する決定指示があると、コメント文と当該特定のビデオファイルと体裁情報とをブログサーバーに送付し、
ブログ閲覧処理は、ユーザ入力による自身のブログに対する閲覧指示があると、ブログ閲覧要求をブログサーバーに送付し、返送されてきたブログを表示させるとともに、他者ブログに対する閲覧指示があると、ブログサーバーにブログ一覧の返送要求を送付し、返送されてきたブログ一覧画面を表示するとともに、ブログ一覧から特定の他者ブログを指定するユーザ入力があると、当該他者ブログをハイパーリンクに基づいてブログサーバーから取り寄せて表示し、
トラックバック送信処理は、他者ブログの表示中にユーザ入力によるトラックバック指示があると、コメント文の入力欄と当該他者ブログを特定するための情報とをブログサーバーに送付する機能を備えたトラックバック作成画面を表示し、当該画面の表示中に所定のユーザ入力があると、コメント文の入力欄に記載された文字列と他者ブログの特定情報とをブログサーバーに送付する
ことを特徴とするブログ利用支援機能を備えたシールプリント装置。
【請求項２】
請求項１において、制御手段は、ビデオファイル作成処理として、特定のユーザ入力があった時点を起点とした適宜な期間に、所定時間以内のカット映像に相当するビデオファイルを所定数を限度として複数カット分記憶するととともに、当該期間満了時以降の適宜な時点で当該ファイルの作成事実をタッチパネルに表示出力させ、ユーザ入力により当該作成事実に対するブログの作成指示があると前記会員ＩＤ入力処理に移行することを特徴とするブログ利用支援機能を備えたシールプリント装置。
【発明の詳細な説明】
【技術分野】
【０００１】
この発明は、シールプリント装置に関し、具体的にはブログの作成を支援する機能を備えたシールプリント装置に関する。
【背景技術】
【０００２】
「プリクラ（登録商標）」などと呼ばれるシールプリント装置は、利用者が自身の顔写真を撮影し、撮影画像に額縁などを模した装飾画像を付加した顔写真画像をシールとなる台紙に印刷して出力する装置である。最近のシールプリント装置は、インターネットなどのネットワークにも接続し、作成した装飾画像付きの顔写真画像をネットワーク上の記憶資源に蓄積し、その蓄積した画像を後日他のシールプリント装置にて、自身や指定した第3者の閲覧や印刷に供することもできるようになっている。また、撮影した画像を含むＷｅｂページを作成してインターネット上に公開できるシールプリント装置もある。なお、これら、ネットワーク通信機能を備えたシールプリント装置については以下の特許文献に記載されている。
【特許文献１】特開２００２−８２８７２号公報
【特許文献２】特開２００４−１５４２８号公報
【発明の開示】
【発明が解決しようとする課題】
【０００３】
上述したように、シールプリント装置は、装飾画像付きの写真を印刷するだけではなくネットワーク通信機能を強化し、ホームページなどのＷｅｂコンテンツを作成するための端末としても活用されつつある。ところで近年、インターネットを利用したサービスとして急速に普及したサービスにブログ（ｂｌｏｇ）がある。周知のごとく、ブログは、時系列を追って記事を随時更新しながら掲載していく形式のＷｅｂサイトであり、ブログサービスを提供するＷＷＷサーバーは、利用者が自身のブラウザ端末を使ってアップロードしてきた記事や画像を整理してブログに掲載する機能を備えている。したがって、利用者は、専用のアプリケーションソフトウエアやテキストエディタを使ってＨＴＭＬを編集するなどの高度な知識や技術が無くても、ブログに記事を投稿することができる。また、ブログには、ある他人のブログの記事に自身のブログへのリンクを設定させるトラックバックと呼ばれる機能がある。
【０００４】
本発明者らは、シールプリント装置を利用してブログを作成し、そのブログに更新記事を投稿したり、トラックバックをしたりする機能を付加しようと考えた。しかし、静止画とともに日記等の記事を綴る一般的なブログであれば、ブラウザを実装したコンピュータとデジタルカメラがあれば、それほど専門的な知識が無くても十分にブログサービスを利用できることから、敢えてシールプリント装置を使う必要はないとも考えた。しかし、動画を含む記事を掲載する動画ブログに関しては、一般利用者にその作成環境が十分に整っているとは言い難い。そこで本発明者らは、動画ブログの利用支援機能を備えたシールプリント装置を実現しようと考えた。
【０００５】
確かに、ビデオ画像をデジタルデータで記録再生するデジタルビデオカメラは、多くの家庭に普及している。しかし、そのビデオカメラで撮影した動画データをブログとしてネットワーク上の記憶資源に格納するためには、ビデオデータをコンピュータに取り込んで所定のファイル形式に変換するなど、コンピュータに関する高度な知識がなければ難しい。一方、シールプリント装置は、顔写真を撮影して装飾画像を付加し、その装飾画像付きの画像をシールとして印刷出力するまでの過程はタッチパネルを主体にしたユーザインタフェースによって操作され、子供でも扱える。
【０００６】
本発明者らは、シールプリント装置を動画ブログの利用端末として活用すれば、コンピュータについて十分な知識や技術がない人でも簡単に動画ブログを作成し、自由に閲覧したりトラックバックをしたりすることができると考えた。もちろん、従来のシールプリント装置ではブログサービスは提供されていない。そして、旧来のシールプリント装置の利用者に対し、新規なサービスであるブログサービスを提案することで、シールプリント装置の利用回数が増えることが期待できる。もちろん、新規利用者の獲得も期待できる。本発明者らはそのようなことを考えながら本発明を創作した。
【課題を解決するための手段】
【０００７】
本発明は、付帯するデジタルカメラで撮影した利用者の顔写真に装飾画像を付加して作成した顔写真画像データをシール用紙に印刷出力するシールプリント装置であって、
通信インタフェースと、タッチパネルとスピーカとを含むユーザインタフェースと、ビデオカメラと、マイクロホンと、外部記憶装置と、制御手段とを備え、
制御手段は、通信制御処理と、ユーザインタフェース制御処理と、会員ＩＤ入力処理と、ビデオファイル作成処理と、ブログ作成処理と、ブログ投稿処理と、ブログ閲覧処理と、トラックバック送信処理とを可能とし、
通信制御処理は、所定の情報通信ネットワークに接続されて多数の会員のそれぞれが開設したブログを公開するブログサーバーと通信インタフェースを介して通信し、
ユーザインタフェース制御処理は、タッチパネルに画面を表示させるとともに、特定の画面の表示中に所定のユーザ入力があると、所定の画面、あるいは音声をタッチパネルに表示、あるいはスピーカに出力させ、
会員ＩＤ入力処理は、会員ＩＤの入力欄を含むログイン画面を表示させるとともに、当該画面の表示中にユーザ入力による会員ＩＤ発行指示があった場合には、会員ＩＤの発行依頼をブログサーバーに送付して返送されてきた会員ＩＤを含む画面を表示出力させ、ログイン画面の表示中にユーザ入力により会員ＩＤが入力欄に記入された状態でＩＤの送信指示があった場合には、当該文字列を会員ＩＤとして適時にブログサーバーに送付し、
ビデオファイル作成処理は、所定のユーザ入力があると、ビデオカメラが出力する撮影映像信号とマイクロホンからの音声信号とを所定形式のビデオファイルに作成して外部記憶装置に記憶し、
ブログ作成処理は、会員ＩＤ入力処理により会員ＩＤの発行依頼をブログサーバーに送付した場合、ユーザ入力によるブログ投稿指示があると、前記会員ＩＤに対応する初期ブログを取り寄せて記憶するとともに、当該初期ブログの画面体裁を利用者に設定させるためのページ装飾画面を表示させ、ユーザ入力により体裁が設定されると当該体裁に関する体裁情報をブログサーバーに送信し、
ブログ投稿処理は、所定のユーザにビデオファイルを選択させるとともにコメント文を入力させるための投稿画面を表示するとともに、当該画面の表示中にユーザ入力により指定されたビデオの再生指示があると、記憶したビデオファイルから指定のビデオファイルを再生処理して表示させ、特定のビデオファイルに対する決定指示があると、コメント文と当該特定のビデオファイルと体裁情報とをブログサーバーに送付し、
ブログ閲覧処理は、ユーザ入力による自身のブログに対する閲覧指示があると、ブログ閲覧要求をブログサーバーに送付し、返送されてきたブログを表示させるとともに、他者ブログに対する閲覧指示があると、ブログサーバーにブログ一覧の返送要求を送付し、返送されてきたブログ一覧画面を表示するとともに、ブログ一覧から特定の他者ブログを指定するユーザ入力があると、当該他者ブログをハイパーリンクに基づいてブログサーバーから取り寄せて表示し、
トラックバック送信処理は、他者ブログの表示中にユーザ入力によるトラックバック指示があると、コメント文の入力欄と当該他者ブログを特定するための情報とをブログサーバーに送付する機能を備えたトラックバック作成画面を表示し、当該画面の表示中に所定のユーザ入力があると、コメント文の入力欄に記載された文字列と他者ブログの特定情報とをブログサーバーに送付する
ブログ利用支援機能を備えたシールプリント装置としている。
【０００８】
また制御手段は、ビデオファイル作成処理として、特定のユーザ入力があった時点を起点とした適宜な期間に、所定時間以内のカット映像に相当するビデオファイルを所定数を限度として複数カット分記憶するととともに、当該期間満了時以降の適宜な時点で当該ファイルの作成事実をタッチパネルに表示出力させ、ユーザ入力により当該作成事実に対するブログの作成指示があると前記会員ＩＤ入力処理に移行することとしてもよい。
【発明の効果】
【０００９】
本発明のシールプリント装置によれば、コンピュータについて十分な知識や技術がない人でも簡単に動画ブログを作成し、自由に閲覧したりトラックバックをしたりすることができる。また、旧来のシールプリント装置の利用者に対し、新規なサービスであるブログサービスを提案することで、シールプリント装置の利用回数が増える。新規利用者の獲得も期待できる。
【発明を実施するための最良の形態】
【００１０】
＝＝＝シールプリント装置の構成＝＝＝
本発明の実施例におけるシールプリント装置は、従来のシールプリント装置と同様に、顔写真に装飾画像を付加した静止画像をシール台紙にプリントアウトする基本機能を備えている。さらに、ブラウザ機能を含んで新規の動画ブログを作成したり、既成の動画ブログに新規の記事を投稿したり、他者のブログに対してトラックバックを送信したりするためのブログ利用支援機能（以下、ブログ機能）が実装されている。
【００１１】
図１に本発明の実施例におけるシールプリント装置の外観図を示した。図２に当該シールプリント装置１を含むネットワーク構成を示した。シールプリント装置１は、一体的なハウジング２に、所定の通信インタフェースを介して通信する撮影部１０と作業部３０の２つコンピュータを内蔵している。撮影部１０と作業部３０は、隣接するスタジオルーム３と、落書きルーム４のそれぞれの作業空間に個別に設置されている。各作業空間（３，４）は、ハウジング１の中や外面を間仕切りやカーテン５で区画されることで形成されている。
【００１２】
撮影部１０は、主に、利用者の顔写真を撮影し、その撮影した静止画のデータ（画像データ）や動画のデータ（ビデオデータ）を作業部３０に転送するまでの処理を実行するための機能を内蔵している。作業部３０は、撮影部１０から転送されてきた画像データに装飾画像を付加するなど、撮影した画像データに対する後処理を実行するためのシールプリント装置としての基本機能に加え、動画ブログを利用するための機能を実装している。
【００１３】
撮影部１０と作業部３０は、インターネットやシールプリント装置１を管理する事業者のＷＡＮなどの広域ネットワークを介して外部のコンピュータと通信する機能も備えている。本実施例ではインターネット５０を利用したＶＰＮ（Virtual Private Network）６０を広域ネットワークとし、このＶＰＮ５１に各地のシールプリント装置１が接続されているとともに、各シールプリント装置１の通信対象となるブログサーバー４０が接続されている。ブログサーバー４０は、付帯する外部記憶にブログ用のデータ記憶領域を設け、ブログサービスの享受者として登録された利用者を会員とし、多数の会員のそれぞれを会員ＩＤによって識別し、会員ＩＤ毎に該当する利用者のブログを管理している。ブログサーバー４０は、会員ＩＤを送付してきたシールプリント装置１からビデオデータを含む投稿記事を受け付けると、該当する会員のブログに当該記事を掲載する。また、既成のブログを各地のシールプリント装置１にて閲覧に供したり、他者のブログに対するトラックバックなどを受け付けたりする。
【００１４】
＝＝＝撮影部＝＝＝
図３に、撮影部１０の機能ブロック構成を示した。撮影部１０の構成は実施的に、カメラ２０が撮影した画像をデジタル形式の静止画や動画として記録する機能を備えたコンピュータである。カメラ２０はマイクロホンと所定の通信インタフェース（カメラインタフェース：ＵＳＢ，ＩＥＥＥ１３９４など）を内蔵したデジタルビデオカメラであり、撮影した映像とマイクロホン入力された音声とを符号化した所定形式の映像音声データをカメラインタフェースを介して出力する。
【００１５】
撮影制御部１１は、ＣＰＵ、ＲＡＭ、ＲＯＭを含み、主制御部として当該撮影部１０の各構成部を制御・統括している。撮影部１０は外部記憶としてハードディスク装置（ＨＤＤ）１２を内蔵している。オーディオボード１３は、撮影制御部１１の制御に基づいてＨＤＤ１２に格納されている音声データファイルをアナログの音声信号に変換してスピーカ１９に向けて出力する。
【００１６】
ビデオキャプチャボード２０は、カメラ２０と同じカメラインタフェースを内蔵し、カメラ２１からの動画音声データを処理し、静止画であればＪＰＥＧ形式などの圧縮画像データに変換し、動画と音声であればＭＰＥＧ２形式などの圧縮符号化したビデオデータに変換するためのハードウエアエンコーダを含んでいる。カメラ２１はフレーム周期毎に非圧縮の映像音声データを順次ビデオキャプチャボード２１に転送していき、ビデオキャプチャボード２１は、撮影制御部１１の制御により、１フレーム分の画像データを取り込んで圧縮画像データを生成したり、フレーム周期毎に転送されてくる映像音声データをビデオデータに変換したりする。
【００１７】
また撮影部１０は、ユーザインタフェースとして、スピーカに加え、液晶表示装置（ＬＣＤ）１６ａと利用者の指やスタイラスペンによって指示された位置に応じた信号を出力するタッチセンサ１６ｂとを積層したタッチパネル１６を備えている。ビデオボード１４は、ビデオＲＡＭとＬＣＤ１６ａの駆動回路とを含み、撮影制御部１１によりビデオＲＡＭに逐次更新されながら書き込まれるビットマップ画像をＬＣＤ駆動用の映像信号に変換してＬＣＤ１４を駆動し、ビットマップ画像をＬＣＤ１６ａに表示出力させる。
【００１８】
Ｉ／Ｏインタフェース１５は、タッチパネル１６ｂが出力する信号に基づいて、利用者がタッチパネル１６ｂのどこを指示したのかを示す指示位置情報を影制御部１１に転送する。そして、撮影制御部１１は、ビデオＲＡＭに書き込んだ画像と転送されてきた位置情報とに基づいてユーザ入力による指示の内容を認知し、その認知した内容に応じ、ビデオボード１４を介してＨＤＤ１２に格納されている所定の画面をＬＣＤ１６ａに表示させたり、画面上の表示画像の一部変更させたり、あるいはオーディボード１３を介して所定の音声をスピーカ１９に出力させたりする。
【００１９】
内部通信インタフェース１７は、所定の通信プロトコルと物理インタフェース（ケーブルやコネクタの規格）により作業部３０と撮影制御部１１とのデータ通信を仲介する。外部通信インタフェース１８は、ＶＰＮ６０を介してブログサーバー４０と接続し、当該ブログサーバー４０と撮影制御部１１との通信を仲介する。
【００２０】
また撮影部１１には、利用代金が投入されるコインボックス２３を付属している。コインボックス２２に配設されている硬貨投入口に硬貨が投入されると当該ボックス２２の内部にあるセンサによってその硬貨の種類や枚数が検出され、その検出情報が撮影制御部１１に転送される。撮影制御部１１は、利用代金分の金額が投入されたことを認知すると、シールプリント装置１を利用者の使用に供する。
【００２１】
＝＝＝作業部＝＝＝
図４に作業部３０の機能ブロック構成を示した。作業部３０の実質的な構成は、撮影部１０によって撮影された画像や映像を画像処理する機能と、ブログを利用するためのブラウザ機能とを実装したコンピュータであり、主制御部となるＣＰＵ、ＲＡＭ、ＲＯＭを含む画像加工制御部３１、ＨＤＤ３２、タッチパネル３６とスピーカ３９とによるユーザインタフェース、Ｉ／Ｏインタフェース３５、ビデオボード３４、オーディオボード１３、内部および外部通信インタフェース（３７，３８）は撮影部において対応する各構成要素（１１，１２，１６，１９，１５，１４，１３，１７，１８）と同様である。なお作業部３０は、プリンタ４０を内蔵している点と、撮影に関連する構成（２０，２１）と、課金に関わる構成であるコインボックス２２を備えていない点が撮影部１０のハードウエア構成と異なっている。
【００２２】
＝＝＝ブログの利用開始＝＝＝
図５にシールプリント装置１におけるブログ機能に関わる処理の流れを示した。また、図６〜図１８に、当該処理の過程で撮影部１０および作業部３０のタッチパネル（１６，３６）に表示される画面の概略図を示した。シールプリント装置１の利用者は、まず、スタジオルーム３において、コインボックス２３に配設されているコイン投入口より利用代金分の硬貨を投入する。撮影制御部１１は、利用代金分の金額が支払われたことを認知すると、当該シールプリント装置１のタッチパネル１６に対するユーザ入力を能動化し、たとえば、利用方法を案内するための利用開始画面（図６，符号１００）を表示する。
【００２３】
本実施例では、この利用開始画面１００に従来の顔写真シールの作成機能に加え、ブログ利用支援機能が利用可能である旨１０１を表示し、利用者にブログサービスの利用を促す。利用開始画面１００には、「ブログを利用する」ボタン１０２と、「シールを作る」ボタン１０３が配設されている。ここでは、利用者がブログサービスを利用するものとし、利用開始画面１００における「ブログを利用する」ボタン１０２を指示する（ｓ１）。
【００２４】
上述したように、シールプリント装置１でのブログ利用者は、会員としてブログサーバー４０に自身の会員ＩＤを登録した上で自身のブログを開設してもらう必要がある。撮影制御部１１は、「ブログを利用する」ボタン１０２が指示されると、会員登録や登録済みの会員ＩＤを入力してブログサーバーにログインするための画面（ログイン画面：図７，符号１１０）を表示する。ログイン画面１１０には、会員ＩＤの入力欄１１１とＩＤを入力するためのキーボード１１３、および初めての利用か否かを問い合わせる「初めて」ボタン１１２とが配設されている。ここでは「初めて」ボタン１１２が指示されたものとする。このボタン１１２への指示があると、撮影部制御部１１は、ブログサーバー４０と通信して新規の会員ＩＤの発行依頼電文を送付する。ブログサーバー４０は、シリアル番号などに基づいて新規の会員ＩＤを発行し、当該会員ＩＤに所定の記憶領域を割り当て、当該記憶領域をこの会員ＩＤによって特定される会員のブログサイトとして管理する。そして、発行した会員ＩＤをシールプリント装置１に返送するとともに、シールプリント装置１を当該会員ＩＤのブログサイトへログインさせ、ログアウトするまでセッションを管理する。
【００２５】
撮影制御部１１は外部通信インタフェース１８を介して会員ＩＤを受け取ると、会員ＩＤの発行を通知する画面（図８：符号１１０ｂ）を表示する（Ｓ２→ｓ５）。この画面１１０ｂでは、ログイン画面１１０の会員ＩＤ入力欄１１１に発行された会員ＩＤ１１６が表示されるとともに、このＩＤを覚えておくように案内するメッセージ１１７が含まれている。そして、利用者が自身に発行された会員ＩＤを確認して記憶したならば「決定」ボタン１１４を指示する。撮影制御部１１は、このボタン１１４への指示を受け付け付けるとビデオ撮影に関わる処理へ移行し、撮影作業の手順を案内しながら利用者が動画ブログとして投稿するための映像を撮影する。なお、すでに会員ＩＤの発行を受けた登録会員であれば、先のログイン画面１１０における会員ＩＤの入力欄１１１に自身の会員ＩＤをキーボード１１３により入力し、「決定」ボタン１１４を指示すればよい。それによって、当該会員ＩＤがブログサーバー４０に送付され（ｓ２→ｓ４）、ブログサーバー４０は、当該ＩＤを送付してきたシールプリント装置１を該当する会員のブログサイトへログインさせ、シールプリント装置１に対しブログサイトの閲覧や新規記事の投稿を許可する。
【００２６】
＝＝＝ビデオ撮影＝＝＝
本実施例におけるビデオ撮影では、１カットについて所定の撮影可能時間が設定されているとともに、所定のカット数まで動画の撮影ができるようになっている。撮影制御部１１は、ビデオ撮影に関わる処理に移行すると、ビデオ撮影にかかわるユーザ入力を受け付けるための録画作業画面（図９：符号１２０）をタッチパネルに表示させる。この画面１２０には、動画撮影についての案内メッセージと撮影を開始するための「撮影開始」ボタン１２１、および撮影を終了させるための「ストップ」ボタン１２２、および撮影作業自体を終了させるための「次へ」ボタン１２３が含まれている。撮影制御部１１は、「撮影開始」ボタン１２１が指示されると、ＨＤＤ１２やＲＡＭなどの適宜な記憶資源にビデオファイルの格納領域を確保する。そして、ビデオキャプチャボード２０から転送されてくるビデオデータをそのビデオファイルに格納していく。そして、「ストップ」ボタン１２２が指示されると、１カット分のビデオデータを所定形式のファイルに作成してＨＤＤ１２に記憶する（ｓ６→ｓ７，ｓ８→ｓ９）。再度「撮影開始」ボタン１２１が指示されると、次のカットの撮影とファイルの作成を開始する。このとき、録画作業画面１２０に１カットの撮影可能な残り時間や、撮影可能なカット数などを表示してもよい。また、作成したファイルの名前については、例えば、ＩＤが「1234」の会員が２カット目の撮影を終えたならば、ＩＤとカットの回数の組み合わせた「id1234-2.mpg」などのようにファイル名を生成すればよい。
【００２７】
次へボタンが指示されたり、作成可能なカット数分のファイルを作成したりしたならば、撮影制御部１１は、作成したビデオファイルを作業部３０に転送し、撮影部１１のＨＤＤ１２から当該ファイルを消去する（ｓ１０→ｓ１１，ｓ１２）。そして、落書きルーム４へ移動して次の作業を行うように案内するメッセージ（図１０，符号１３１）を含む画面１３０を表示し、所定時間この画面１３０を表示し終えたならば、利用代金が投入される前の初期画面に画面遷移させ、撮影部１０に対するユーザ入力を無効にする。なお、本実施例のシールプリント装置１の使用形態では、一人あるいは同伴者同士からなる一組の利用者が撮影部１０と作業部３０の利用を全て終えてから次の利用者の使用に供することとしている。しかし、スタジオルーム３での作業が終わると次の利用者にスタジオルーム３での作業を許可する形態も考えられる。このような形態では、スタジオルーム３での撮影作業が終わった時点で、前の利用者が落書きルーム４で作業をしていることもある。このような場合には、前の利用者が作業部３０の操作を終了するまでスタジオルーム３で待機させる旨を撮影部１０のタッチパネル１６に表示すればよい。そして、前の利用者が操作を終了してから作成したビデオファイルを作業部３０に転送すればよい。また、前の利用者がブログサーバーにログインしている可能性もあるので、撮影部３０はＩＤの発行のみをブログサーバー４０に依頼し、セッション管理を伴うログイン手続は前の利用者が作業部３０での作業を終え、前の利用者のログオフを確認した時点で行えばよい。
【００２８】
＝＝＝落書きルームでの作業＝＝＝
作業部３０では、作業制御部３１が撮影部１０から転送されてきたビデオファイルをＨＤＤ３２に格納するとともに、ブログの利用に関わる各種機能を呼び出すための画面（ブログメニュー画面：図１１，符号１４０）をタッチパネル３６に表示させる。利用者は、スタジオルーム３から落書きルーム４に移動して作業部３０のタッチパネル３６に表示されているブログメニュー画面１４０を確認し、希望する作業に対応するボタン（１４１，１４２）を指示する。そして、順次表示される画面の指示に従いながらブログに関わる各種サービスを利用する。なお、作業部３０のタッチパネル３６に表示される各画面には前画面を表示させるための「戻る」ボタンや落書きルームでの作業を終了してログオフするための「終了」ボタンなどが適宜に配設されている。
【００２９】
また本実施例では、ブログに関し、新規記事の投稿やブログの閲覧など一連の作業を終えた時点で他の作業を行うことができないようになっている。他の作業を行う場合は再度スタジオルーム３に入って撮影部１０のコインボックス２２に利用代金を投入する手順からやり直すこととしている。もちろん、利用形態は当該実施形態に限らず、制限時間を儲けて、時間内であれば、様々な作業を行えるようにするなど、利用形態は適宜に設定できる。
【００３０】
ここでは、新規会員が自身のブログ（マイページ）を開設する作業を行うことを想定している。そのために、利用者は、マイページの体裁（タイトル、背景色など）を設定する必要がある。そして、体裁を設定した上で、マイページに記事として掲載するコメント文を入力したりや投稿するビデオファイルを選定したりする。
【００３１】
＝＝＝ブログの体裁設定＝＝
利用者は、まずブログメニュー画面１４０の「投稿する」ボタン１４１を指示する。作業制御部３１は、このボタン１４１への指示に応動してブログサーバー４０にアクセスし、ログイン中の会員ＩＤに対応するブログを返送してもらう（ｓ１３→ｓ１４）。ここでは、ブログのタイトルや投稿済みの記事が存在しない初期状態のブログがマイページとして返送されてくる。作業制御部１１は、この初期状態のマイページをＨＤＤ３２に記憶するとともに、マイページが初期状態であることを認知し、マイページの体裁を設定するためのページ装飾画面（図１２，符号１５０）をタッチパネル３６に表示させる。すなわち、利用者は、新規に作成したマイページについて、文字（名称やページ中で固定表示するテキストなど）、背景（ページの背景色や背景画像）、フレーム（投稿されたビデオ映像を瞥見するためのサムネイル画像の枠、サムネイル画像の背景画像）などを設定する。ページ装飾画面１５０には、ＨＤＤ３２に記憶した初期状態のマイページ１５１が所定領域に表示されているとともに、文字、背景、フレームのそれぞれを指定して設定するための各ボタン（１５２〜１５４）、および背景色などの色を指定するためのカラーパレット１５５が配設されている。利用者は、設定対象となるボタン（１５２〜１５４）を指示し、同じ画面１５０のマイページ１５１の表示状態を確認しながら適宜にマイページの体裁を設定していく。そして、マイページの体裁が決定したならば「決定」ボタン１５６を指示する（ｓ１５→ｓ１６）。
【００３２】
＝＝＝ビデオファイルの選定と投稿＝＝＝
作業制御部３１は、利用者入力によりマイページの体裁が決定されたならば、ユーザ入力に基づいて作成した投稿記事をブログサーバーにアップロードする記事投稿処理を実行する（ｓ１７）。作業制御部３１は、記事投稿処理を開始すると、マイページに投稿する記事を作成するための投稿作業画面（図１３，符号１６０）をタッチパネル３６に表示させる。投稿作業画面１６０には、ビデオ映像を表示するための子画面１６１、コメント文となるテキストの入力欄１６２、複数のビデオファイルから選択したファイルを復号処理させて子画面１６１に再生表示させるための「次のビデオ」ボタン１６３、表示中のビデオ映像を投稿対象として決定するための「決定」ボタン１６５、テキストを入力ためのキーボード１６４などが配設された画面構成となっている。
【００３３】
作業制御部３１は、投稿作業画面１６０を表示させた時点で、最初に作成されたビデオファイルを復号処理して子画面１６１に再生表示させ、「次のビデオ」ボタン１６３が指示されると、ＨＤＤ３２から２番目に作成されたファイルを再生処理してその再生ビデオ映像を子画面１６１に表示させる。このように利用者が「次のビデオ」ボタン１６３を指示する毎に再生処理対象のビデオファイルがその作成順番に従って順次切り替わりながら子画面１６１に表示される。最後に作成されたビデオファイルの表示中に「次のビデオ」ボタン１６３を指示すると最初に作成されたビデオファイルに戻って再生表示される。
【００３４】
作業制御部３１は、「選択」ボタン１６５が指示されると、そのときに再生処理中のビデオファイルを投稿対象に決定する。また、キーボード１６４を使ってコメントを入力し、最終的に「決定」ボタン１６６が指示されると、作業制御部３１は、先に記憶した初期状態のマイページを投稿記事が掲載された状態のマイページ（図１４，符号１７０）に編集して表示させる。このマイページ１７０は、ページ装飾画面１５０にて設定した体裁に基づく編集・装飾がなされ、投稿対象のビデオファイルから抽出したサムネイル画像１７１と文字入力されたコメント文１７２とが含まれている。利用者は、この作成されたマイページ１７０の体裁や記事の内容を確認したならば「終了」ボタン１７３を指示する。体裁や記事を修正しようと思えば、各画面（１６０，１７０）にある「戻る」ボタンを指示して前画面を表示させればよい。
【００３５】
作業制御部３１は、作成後のマイページ１７０中の「終了」ボタンへの指示を受け取ると、マイページの体裁を指定する情報と、マイページに添付されるビデオファイルやテキストをブログサーバー４０に送付する。ブログサーバー４０は送付されてきたこれらの情報に基づいてシールプリント装置１にて表示されたマイページ１７０と同じ画面構成のブログを作成する。また、サムネイル画像１７１の表示領域にビデオファイルへのハイパーリンク（リンク）を設定する。そして、このブログを当該利用者のマイページとして該当の会員ＩＤに対応付けして外部記憶に格納する。
【００３６】
＝＝＝ブログの更新＝＝＝
マイページをすでにブログサーバー４０に登録している会員が新規の記事を再度投稿してマイページを更新する場合には、先のブログメニュー画面１４０の「投稿する」ボタン１４２を指示する。作業制御部３１は、この指示に応動してマイページの送付要求をブログサーバー４０に送付し、マイページを取り寄せる。そして、マイページが初期状態にないので、図１４に示した画面１７０と同様な画面を表示させる。利用者が、マイページの画面１７０にある「戻る」ボタンを指示すると、先の投稿作業画面１６０が表示される。利用者は、撮影部１０にて新規ビデオデータを作成した後、作業部３０にて上述した手順に従ってビデオの選定やコメントの文字入力を行い、更新したブログをブログサーバー４０にアップロードすればよい（ｓ１３→ｓ１４，ｓ１５→ｓ１７）。コメント文だけを更新する場合は、撮影部１０でログイン画面に会員ＩＤを入力してログイン手続だけを済ませて落書きルーム４に移動して作業部３０を操作すればよい。
【００３７】
＝＝＝ブログの閲覧＝＝＝
ブログサーバー４０には多数の会員のマイページが開設されている。利用者は、シールプリント装置１を使ってマイページや他の会員のブログ（他者ページ）を閲覧することができる。そして、他者ページに対してトラックバックを行ったり、マイページに対するトラックバックを確認したりすることができる。
【００３８】
作業部３０のタッチパネル３６に表示されるブログメニュー画面の「閲覧する」ボタン１４２を指示すると、ブログを選択するための閲覧ページ選択画面（図１５：符号１８０）がタッチパネル３６に表示される。この画面１８０には利用者のマイページを閲覧するための「自分のマイページを見る」ボタン１８１と、他者ページを閲覧するための「他の人のマイページを見る」ボタン１８２とを含んでいる。なお、マイページや他者ページの閲覧のみを目的として当該シールプリント装置１を利用する人は、撮影部１０にて自身の会員ＩＤを入力してブログサーバー４０にログインし、ビデオ撮影を行わずに撮影部１０の使用を終了させ、落書きルーム４に移動し、ブログメニュー画面１４０の「閲覧する」ボタン１４２を指示すればよい。
【００３９】
自分のマイページを閲覧する場合には、この画面１８０にて「自分のマイページを見る」ボタン１８１を指示する。作業制御部３１はこの指示に応動してマイページの送付要求をブログサーバー４０に送付し、ブログサーバー４０は、ログイン中の会員ＩＤに対応するマイページをシールプリント装置１に返送し、作業制御部３１は、このマイページをタッチパネル３６に表示させる（ｓ１３→ｓ１９→ｓ２０）。図１６にマイページの画面概略を示した。このマイページ画面１７０ｂには自身が投稿した最新のビデオ映像のサムネイル画像１７１やコメント文１７２が表示されているとともに、トラックバックの掲載領域１７３に、当該マイページにトラックバックとして投稿された記事（トラックバック記事）のダイジェスト１７４が表示されている。トラックバック記事のダイジェスト１７４には、トラックバック記事におけるビデオ映像のサムネイル画像とコメント文の一部が含まれている。
【００４０】
利用者自身が投稿した記事のサムネイル画像１７１の表示領域には該当のビデオファイルへのリンクが設定されており、利用者がこのサムネイル画像１７１を指示すると投稿ビデオのファイルが転送されてくる。作業制御部３１は、当該ビデオファイルを復号処理し、全画面でビデオ映像を再生表示させる。再生が終了するとマイページの閲覧画面１７０ｂに表示を戻す。
【００４１】
トラックバックの掲載領域１７３の各トラックバック記事のダイジェスト１７４に付記された「詳細を見る」の文字列１７４には、当該トラックバック記事へのリンクが設定されている。このリンクを指示するとトラックバックとして投稿された記事が表示される。
【００４２】
また、先の閲覧ページ選択画面１８０にて「他の人のマイページを見る」ボタン１８２を指示すると、作業制御部３１は、その指示をブログサーバー４０に送信する。ブログサーバー４０は、当該指示を受け取ると、自身に開設されているマイページについて、タイトルや最新記事のコメントを含むダイジェストを一覧にしたＷｅｂページ（ブログ一覧ページ：図１７，符号１９０）を返送する（ｓ１３→ｓ１９→ｓ２１→ｓ２２）。このブログ一覧ページ１９０の各他者ページのダイジェスト記載箇所１８１には該当する他者ページへのリンクが設定されており、利用者が適宜な他者ページを指示すると該当する他者ページがシールプリント装置１に返送されて利用者の閲覧に供される（ｓ２３→ｓ２４）。
【００４３】
なお、利用者が興味や関心のあるブログだけを選択できるようにするために、例えば、シールプリント装置１は、利用者に新規のマイページを作成させる際に、ページの体裁とともに属性（年齢、性別、趣味、居住地域など）も設定させるようにしてもよい。そして、その属性を会員ＩＤに対応付けしてブログサーバー４０に送付し、ブログサーバー４０は会員ＩＤにマイページと属性とを対応付けして管理する。そしてブログサーバー４０は、シールプリント装置１から他者ページについての閲覧指示を受け取ると、属性の項目と設定値を選択させてブログサーバーへ送付するためのＷｅｂページを返送する。例えば、そのＷｅｂページにて項目として年齢を選択し、設定値として２０歳代が選択されたならば、その選択情報をブログサーバー４０に送付する。ブログサーバー４０は選択情報に該当する会員ＩＤを取得し、その会員ＩＤに対応するブログをブログ一覧ページに記載してシールプリント装置１に返送する。あるいは、ログイン中の利用者の会員ＩＤに基づいて当該利用者の属性を取得し、同じ属性を設定した会員についてのブログをブログ一覧ページに記載してもよい。属性を設定する際にブログを抽出させるための最優先の項目を指定できるようにしてもよい。すなわち、年齢を最優先項目に指定すれば、利用者と同じ年代の会員の他者ページを抽出してブログ一覧ページを作成する。このように、利用者に自身の属性を設定させることで、利用者は同じ趣味や年齢・性別の会員の他者ページを閲覧対象として絞り込むことができる。
【００４４】
＝＝＝トラックバック＝＝＝
利用者は、他者ページの閲覧中にトラックバックをすることができる。図１８に他者ページの画面概略を示した。他者ページ１９０の構成はマイページ（１７０，１７０ｂ）の構成とほぼ同様であり、最新記事におけるビデオ映像のサムネイル画像１９１やコメント文１９２、この他者ページへのトラックバックの掲載領域１９３と、各トラックバックのダイジェスト１９４を含んでいる。
【００４５】
利用者が閲覧中の他者ページ１９０にトラックバックをする場合には、この他者ページ１９０にある「トラックバック」ボタン１９４を指示する。作業制御部３１は、このボタン１９４ヘの指示に応動して、トラックバックの記事を作成するためのトラックバック作成画面（図１９，符号２００）を表示させる。このページ２００は、他者ページ１９０のＵＲＬの入力欄２０３と、トラックバックの送信指示を受け付けるための「送信」ボタン２０６以外は、図１３に示した投稿記事作成画面１６０とほぼ同様の構成となっており、ビデオ映像を再生表示するための子画面２０１やコメント文の入力欄２０２、再生するビデオファイルを切り替える「次のビデオ」ボタン２０４、投稿するビデオファイルを決定する「選択」ボタン２０５などが含まれている。なお、本実施例では他者ページのＵＲＬを取得し、そのＵＲＬを入力欄に記入した状態でトラックバック作成画面２００を表示させる。
【００４６】
利用者がトラックバック作成画面２００にてコメント文を入力し、ビデオ映像のビデオファイルを選択し、「送信」ボタン２０６を指示すると、それぞれの入力欄（２０３，２０２）に記入されているＵＲＬとコメント文、およびビデオファイルがブログサーバー４０に送付される（ｓ２５→ｓ２６）。ブログサーバー４０は、送付されてきたビデオファイルとコメント文と、ログイン中の会員ＩＤに対応するマイページの体裁とに基づいて、トラックバック記事となるＷｅｂページを作成し、当該Ｗｅｂページをログイン中の会員ＩＤに対応付けして記憶する。また、送付されてきた他者ページのＵＲＬに基づいて、当該他者ページのトラックバック掲載領域に作成したトラック記事のダイジェストを掲載するとともに、当該トラックバック記事へのリンクを設定する。
【００４７】
＝＝＝グループの形成＝＝＝
ブログには特定の趣味を持つ者同士などに限って公開を許可する「グループ」「コミュニティ」などと呼ばれるものがある。本発明のシールプリント装置も、このようなブログ（以下、グループページ）を作成し、グループの一員として登録された会員に限って閲覧や投稿を許可する。
【００４８】
例えば、特定の属性項目についてグループを自動生成するようにしてもよい。項目が趣味であれば、同じ趣味を属性として設定した会員のみが参加できるグループを生成する。あるいは、体裁（例えば背景色や背景画像）が同じマイページ同士をグループとしてグループページを生成してもよい。グループが生成されると、投稿した記事がマイページに加え、自身が参加しているグループページにも登録される。
【００４９】
友達同士など会員ＩＤをお互いに知っているグループだけのより個人的なグループ（スペシャルグループ）にのみ閲覧や投稿を許可するブログ（スペシャル・グループページ）を作成できるようにしてもよい。例えば、ブログメニュー画面にスペシャルグループを設定するためのボタンなどを配設しておき、このボタンが指示されると、スペシャルグループの参加者のＩＤを登録するための画面（図２０,符号２１０）を表示する。そして、登録したＩＤをブログサーバーに送付し、ブログサーバーは当該会員ＩＤに基づいてグループページを生成する。
【００５０】
＝＝＝メイキングビデオ作成機能＝＝＝
上記実施例では、利用者が自身の希望によりブログに掲載するビデオ映像を撮影していた。この例に限らず、顔写真シールを作成するためにスタジオルーム３に入室した利用者の仕草をビデオ撮影し、落書きルーム４に移動する前の適宜な時点で、その撮影事実を伝え、それまでに撮影したビデオ映像をブログにできる旨を案内するようにしてもよい。
【００５１】
たとえば、コインボックス２２に硬貨が投入された時点を起点とし、シールを作成するために顔写真を撮影し、落書きルーム４にて装飾画像などを付加する作業を行おうとするまでに、スタジオルーム３内の利用者をカメラ２２で撮影して複数カット分のビデオファイルを作成しておく。
【００５２】
そして、作成すべきビデオファイルを全て作成し終えた時点でビデオ撮影の事実を利用者に告知するとともに、顔写真シールを作成する過程を撮影したビデオ映像（メイキングビデオ）を動画ブログとして投稿できることを案内する。ここで、投稿を了承すれば、作業部３０では顔写真に対する装飾画像の付加作業に替えて、上述したブログの作成と投稿作業に移行させる。このように、メイキングビデオを撮影して投稿できるようにすることで、スタジオルーム３内の利用者の自然な仕草やハプニングなどがマイページに掲載され、シールプリント装置１でブログサービスを利用してみようという動機が利用者に生まれる。また、一度マイページを作成すると、今後も自身や他者のマイページの閲覧、新規記事の投稿、トラックバックなどを行うために、利用者がシールプリント装置を定期的に利用することが期待できる。
【図面の簡単な説明】
【００５３】
【図１】本発明の実施例におけるシールプリント装置の外観図である。
【図２】上記シールプリント装置を含むネットワーク構成図である
【図３】上記シールプリント装置を構成する撮影部の機能ブロック図である。
【図４】上記シールプリント装置を構成する作業部の機能ブロック図である。
【図５】上記シールプリント装置に実装されているブログ利用支援機能に関わる処理の流れ図である。
【図６】上記撮影部のタッチパネルに表示される利用開始画面の概略図である。
【図７】上記撮影部のタッチパネルに表示されるログイン画面の概略図である。
【図８】会員ＩＤが表示された状態の上記ログイン画面の概略図である。
【図９】上記撮影部のタッチパネルに表示される録画作業画面の概略図である。
【図１０】上記撮影部での作業終了を案内するための画面概略図である。
【図１１】上記作業部のタッチパネルに表示されるブログメニュー画面の概略図である。
【図１２】上記作業部のタッチパネルに表示されるページ装飾画面の概略図である。
【図１３】上記作業部のタッチパネルに表示される投稿記事作成画面の概略図である。
【図１４】上記作業部のタッチパネルに表示されるマイページ画面の概略図である。
【図１５】上記作業部のタッチパネルに表示される閲覧ページ選択画面の概略図である。
【図１６】トラックバック記事のダイジェストを含む上記マイページ画面の概略図である。
【図１７】上記作業部のタッチパネルに表示されるブログ一覧画面の概略図である。
【図１８】上記作業部のタッチパネルに表示される他者ページの画面概略図である。
【図１９】上記作業部のタッチパネルに表示されるトラックバック作成画面の概略図である。
【図２０】本発明のその他の実施例におけるシールプリント装置が表示するスペシャルグループ設定画面の概略図である。
【符号の説明】
【００５４】
１  シールプリント装置
３  スタジオルーム
４  落書きルーム
１０  撮影部
１１  撮影制御部
１２，３２  ハードディスク装置
１６，３６  タッチパネル
２０  ビデオキャプチャボード
２１  カメラ
３０  作業部
４０  ブログサーバー
【図１】
2008070954.tif 000003
【図２】
2008070954.tif 000004
【図３】
2008070954.tif 000005
【図４】
2008070954.tif 000006
【図５】
2008070954.tif 000007
【図６】
2008070954.tif 000008
【図７】
2008070954.tif 000009
【図８】
2008070954.tif 000010
【図９】
2008070954.tif 000011
【図１０】
2008070954.tif 000012
【図１１】
2008070954.tif 000013
【図１２】
2008070954.tif 000014
【図１５】
2008070954.tif 000015
【図２０】
2008070954.tif 000016
【図１３】
2008070954.tif 000017
【図１４】
2008070954.tif 000018
【図１６】
2008070954.tif 000019
【図１７】
2008070954.tif 000020
【図１８】
2008070954.tif 000021
【図１９】
2008070954.tif 000022